(57)【特許請求の範囲】
【請求項１】
上枠および下枠を有する枠体と、この枠体に左右開閉自在に支持される面材と、この面材よりも屋外側にて前記枠体に支持される防虫面材とを備えた建具であって、
前記上枠および前記下枠の少なくとも一方は、前記面材よりも屋外側に位置するとともに見付け方向内側に開口する屋外凹溝部を有して形成され、
前記屋外凹溝部は、底面を形成する屋外底面部と、この屋外底面部の屋内側で見付け方向内側に延出する第１見付け面部と、この第１見付け面部の屋外側に対向して見付け方向内側に延出する第２見付け面部とを有して構成され、
閉鎖した前記面材の戸尻側端部の見込み方向屋外側における前記屋外凹溝部には、当該屋外凹溝部と前記防虫面材との間の隙間を埋める防虫部品が設けられ、この防虫部品は、前記屋外凹溝部に圧入される本体部を有して構成されている建具。
【請求項２】
前記防虫部品は、前記本体部から屋内側に突出する取付部を有して形成され、
前記取付部は、前記第１見付け面部に形成された切欠きに挿入されている請求項１に記載の建具。
【請求項３】
前記防虫部品は、前記取付部から屋外側に突出する突出部を有して形成され、
前記突出部は、前記防虫面材の屋内側側面に摺接可能に設けられている請求項２に記載の建具。
【請求項４】
前記防虫部品の本体部には、屋内側に突出する第１突起部と、屋外側に突出する第２突起部とが形成され、
前記第１突起部は、前記第１見付け面部の屋外側側面に当接可能に設けられ、前記第２突起部は、前記第２見付け面部の屋内側側面に当接可能に設けられている請求項１から請求項３のいずれかに記載の建具。
【請求項５】
前記防虫部品の本体部には、前記屋外底面部に向かって突出する係合爪部が形成され、
前記係合爪部は、前記屋外底面部に形成された係合孔に係合可能に設けられている請求項１から請求項４のいずれかに記載の建具。
【請求項６】
前記防虫部品の本体部は、前記面材の開閉方向両端部の見付け方向内側面が見付け方向外側に向けて勾配を有した傾斜面部を有し、この傾斜面部に前記防虫面材の一部が摺接可能に構成されている請求項１から請求項５のいずれかに記載の建具。
【発明の詳細な説明】
【技術分野】
【０００１】
本発明は、建具に関し、詳しくは、枠体に左右開閉自在に支持される面材を有した引違い窓や片引き窓等の建具に関する。
【背景技術】
【０００２】
従来、引違い窓等の建具において、室内外の障子（面材）よりも屋外側に網戸が設けられることが一般的であり、下枠には、室内外の障子を支持する室内外の障子レールと、障子レールより屋外側にて網戸を支持する網戸レールとが形成されている（例えば、特許文献１参照）。
特許文献１に記載された建具では、室外側の障子レールと網戸レールとの間において、室外側の障子の下端縁に近接して立上げ部材が設けられている。この立上げ部材は、室外側の障子レールと網戸レールとの間の下枠および網戸レールに係合して取り付けられている。
【先行技術文献】
【特許文献】
【０００３】
【特許文献１】特開２０１０−７０９４４号公報
【発明の概要】
【発明が解決しようとする課題】
【０００４】
ところで、引違い窓等の建具では、風圧によって障子に屋内外方向への荷重が作用した場合、その荷重が戸車やレールを介して枠体に伝達される。また、特許文献１に記載された建具では、障子の下端縁が立上げ部材に当接することで、この立ち上げ部材を介して荷重が伝達されるものの、立上げ部材が係合のみで下枠に取り付けられているため、障子の荷重によって立上げ部材が破損したり変形したりする可能性がある。
また、下枠の網戸レールと立上げ部材と下枠底面部とで形成される凹状の溝には隙間が形成され、この隙間を通って虫等が屋内側に侵入する可能性もある。
【０００５】
本発明の目的は、枠体の破損及び変形を防止することができるとともに防虫性能を向上させることができる建具を提供することにある。
【課題を解決するための手段】
【０００６】
本発明の建具は、上枠および下枠を有する枠体と、この枠体に左右開閉自在に支持される面材と、この面材よりも屋外側にて前記枠体に支持される防虫面材とを備えた建具であって、前記上枠および前記下枠の少なくとも一方は、前記面材よりも屋外側に位置するとともに見付け方向内側に開口する屋外凹溝部を有して形成され、前記屋外凹溝部は、底面を形成する屋外底面部と、この屋外底面部の屋内側で見付け方向内側に延出する第１見付け面部と、この第１見付け面部の屋外側に対向して見付け方向内側に延出する第２見付け面部とを有して構成され、閉鎖した前記面材の戸尻側端部の見込み方向屋外側における前記屋外凹溝部には、当該屋外凹溝部と前記防虫面材との間の隙間を埋める防虫部品が設けられ、この防虫部品は、前記屋外凹溝部に圧入される本体部を有して構成されていることを特徴とする。
【０００７】
ここで、本発明の建具としては、引違い窓や、片引き窓、引分け窓などの窓、引き戸などの出入口が例示でき、これらの建具において左右開閉自在に設けられた面材が１枚または２枚以上で構成されていればよい。
以上の本発明によれば、面材が見込み方向屋外側へ移動したときの荷重が第１見付け面部に伝達され、さらに防虫部品を介して第２見付け面部にも伝達されることで、第１見付け面部および第２見付け面部の２つの見付け面部により面材の荷重を支持することができるため、各見付け面部にかかる荷重を低減することができ、枠体の破損及び変形を防止することができる。特に、閉鎖した面材の戸尻側端部において、第１見付け面部に作用する面材の荷重が大きくなるため、この位置に防虫部品を設けることで、枠体に作用する荷重を分散させて効果的に低減することができ。また、防虫部品が屋外凹溝部の隙間を埋めるように設けられていることで、虫等が屋外凹溝部を通って屋内側へ侵入するのを防止することができ、防虫性能を向上させることができる。
【０００８】
この際、本発明の建具では、前記防虫部品は、前記本体部から屋内側に突出する取付部を有して形成され、前記取付部は、前記第１見付け面部に形成された切欠きに挿入されていることが好ましい。
このような構成によれば、防虫部品の取付部を切欠きに挿入することで、防虫部品を簡単に上枠や下枠に取り付けることができるとともに、防虫部品の見込み寸法を確保しつつ枠の見込み寸法を抑制することができる。また、取付部が第１見付け面部の切欠きに挿入されることで、防虫部品の移動が規制されるため、簡単な構造で取付位置を維持させることができる。
【０００９】
さらに、本発明の建具では、前記防虫部品は、前記取付部から屋外側に突出する突出部を有して形成され、前記突出部は、前記防虫面材の屋内側側面に摺接可能に設けられていることが好ましい。
このような構成によれば、突出部に防虫面材の屋内側側面が摺接することで、摩擦抵抗により防虫面材の移動を規制することができ、防虫面材が風等によって不意に開くことを防止することができる。
【００１０】
また、本発明の建具では、前記防虫部品の本体部には、屋内側に突出する第１突起部と、屋外側に突出する第２突起部とが形成され、前記第１突起部は、前記第１見付け面部の屋外側側面に当接可能に設けられ、前記第２突起部は、前記第２見付け面部の屋内側側面に当接可能に設けられていることが好ましい。
このような構成によれば、第１突起部が前記第１見付け面部に当接し、第２突起部が前記第２見付け面部に当接していることで、面接触と比較して、第１見付け面部および第２見付け面部との当接位置を第１突起部及び第２突起部に限定させることができ、面材の荷重を枠体に確実に伝達することができる。
【００１１】
また、本発明の建具では、前記防虫部品の本体部には、前記屋外底面部に向かって突出する係合爪部が形成され、前記係合爪部は、前記屋外底面部に形成された係合孔に係合可能に設けられていることが好ましい。
このような構成によれば、防虫部品の係合爪部が屋外底面部の係合孔に係止されることで、防虫部品が上枠や下枠から外れることを防止することができ、防虫部品を取り付る際に、屋外凹溝部に対して本体部を見付け方向外側に圧入するだけで係合爪部も係合させることができ、容易かつ確実に防虫部品を取り付けることができる。
【００１２】
また、本発明の建具では、前記防虫部品の本体部は、前記面材の開閉方向両端部の見付方向内側面が見付け方向外側に向けて勾配を有した傾斜面部を有し、この傾斜面部に前記防虫面材の一部が摺接可能に構成されていることが好ましい。
このような構成によれば、例えば、防虫面材が枠体から外れることを防止するための外れ止め用部品などが防虫面材の端部に設けられた場合に、この外れ止め用部品を傾斜面部に摺接させることで、防虫面材が閉鎖方向へ付勢されるため、防虫面材のスムーズな開閉を実現することができる。
【図面の簡単な説明】
【００１３】
【図１】本発明の実施形態に係る建具を示す縦断面図である。
【図２】前記建具を示す横断面図である。
【図３】前記建具における下枠の一部を拡大して示す縦断面図である。
【図４】前記下枠に防虫部品を取り付ける状態を示す斜視図である。
【図５】前記防虫部品を示す斜視図である。
【図６】前記防虫部品を示す底面図である。
【発明を実施するための形態】
【００１４】
以下、本発明の一実施形態に係る建具としての引違い窓１を図面に基づいて説明する。
図１および図２において、引違い窓１は、戸建て住宅等における外壁開口部に設けられて建物の室内空間と室外空間とを仕切る窓であって、上枠２、下枠３および左右の縦枠４を四周枠組みした枠体としての窓枠５と、この窓枠５の内部に左右開閉自在に支持された室内外一組の面材としての障子６，７と、室外側障子７よりも屋外側にて窓枠５に左右移動自在に支持された防虫面材としての網戸８とを備えて構成されている。
【００１５】
窓枠５における上枠２、下枠３および左右の縦枠４は、それぞれ樹脂製の枠本体２Ａ，３Ａ，４Ａを有して構成され、下枠３の枠本体３Ａには、アルミ形材製の内レール部材３Ｂおよび外レール部材３Ｃが取り付けられ、これらのレール部材３Ｂ，３Ｃにそれぞれ案内されることで、室内側障子６および室外側障子７が左右に開閉移動できるようになっている。室内外の障子６，７（室内側障子６および室外側障子７）は、それぞれ上框１１、下框１２、戸先側の縦框１３、および戸尻側の縦框１４を四周框組みした内部に、ガラスパネル（複層ガラス）１５を嵌め込んで構成されている。また、室内外の障子６，７は、図２に示すように、室外側障子７の縦框１３が図中左側の縦枠４に当接し、室内側障子６の縦框１３が図中右側の縦枠４に当接するとともに、互いの縦框（召合せ框）１４が窓枠５の左右方向中間位置（召合せ部Ａ）で見込み方向に重なることで閉鎖されるように構成されている。網戸８は、それぞれアルミ形材製の上框１６、下框１７および左右の縦框１８を四周框組みした内部に防虫ネット１９を取り付けて構成されている。
【００１６】
下枠３の枠本体３Ａは、図１および図３に示すように、見込み方向に延びる下枠底面部３１と、この下枠底面部３１の下方に対向する下面部３２と、下枠底面部３１の屋内側端部から立ち上がる屋内側立上り片部３３と、室内外の障子６，７間にて下枠底面部３１から立ち上がる中間立上り片部３４と、下枠底面部３１の屋外側端部から立ち上がる第１見付け面部３５と、第１見付け面部３５から屋外側に延びる屋外底面部３６と、この屋外底面部３６の屋外側端部から第１見付け面部３５に対向して立ち上がるとともに網戸８を支持する第２見付け面部３７とを有して形成されている。また、第１見付け面部３５と屋外底面部３６と第２見付け面部３７とで三方を囲まれて見付け方向内側（上方）に開口した屋外凹溝部３８が形成されている。
また、図２および図４に示すように、召合せ部Ａの見込み方向外側の第１見付け面部３５（第１見付け面部３５における室内外障子６，７の開閉方向中間位置）には、切欠部３５１が形成され、召合せ部Ａの見込み方向外側の屋外底面部３６（屋外底面部３６における室内外障子６，７の開閉方向中間位置）には、当該屋外底面部３６を貫通する係止孔３６１が形成されている。
【００１７】
以上の下枠３において、召合せ部Ａの見込み方向外側の屋外凹溝部３８（屋外凹溝部３８における室内外障子６，７の開閉方向中間位置）には、防虫部品２０が取り付けられている。この防虫部品２０は、樹脂製の一体成形部品であって、図５および図６に示すように、第１見付け面部３５と第２見付け面部３７との間に圧入される本体部２１と、本体部２１の屋内側に突出する取付部２２と、本体部２１の上面（見付け方向内側）において取付部２２から屋外側へ突出する突出部２３と、本体部２１から下方（見付け方向外側）に突出する一対の係止片部２４と、を有して形成されている。この防虫部品２０は、取付部２２が第１見付け面部３５の切欠部３５１に挿入されるとともに、一対の係止片部２４が屋外底面部３６の係止孔３６１に係止されることで、下枠３に取り付けられるようになっている。
【００１８】
本体部２１は、屋外底面部３６に当接する下面部２５と、この下面部２５に対向し見付け方向幅寸法が下面部２５より小さい上面部２６と、下面部２５の見付け方向端部から立ち上がる一対の側面部２７と、側面部２７の上方端部と上面部２６の見付け方向端部とを連結する一対の傾斜面部２８と、第１見付け面部３５に対向する背面部２９とを有し、当該本体部２１の屋外側が開口して形成されている。また、背面部２９の屋内側側面における両端部寄りの位置には、屋内側に突出するとともに上下に延びる直線状の一対の第1突起部２１１が形成されている。さらに、背面部２９の屋外側には、下面部２５から突出する一対の突出基端部２１２が一対の第１突起部２１１の背面側に対向して形成され、この突出基端部２１２の屋外側には、屋外側に突出するとともに上下に延びる直線状の一対の第２突起部２１３が形成されている。
【００１９】
取付部２２は、第１見付け面部３５よりも厚い厚さ寸法および略同一の高さ寸法を有するとともに、背面部２９より小さい幅寸法を有した平板状に形成され、背面部２９の屋内側に一体的に形成されている。突出部２３は、上面部２６および取付部２２の屋外側から突出するように形成され、取付部２２からの突出寸法は、当該突出部２３の屋外側側面に網戸８の下框１７の下端部側面（防虫面材の屋内側側面）が摺接可能な程度に設定されている。突出部２３に網戸８の下框１７の下端部側面を傾斜面部２８（見付け方向外側に向けて勾配を有した傾斜面部）に沿って摺接させることで、網戸８のスムーズな開閉を実現することができる。また、摺接による摩擦抵抗によって網戸８の移動を規制することができ、閉じた網戸８が風等によって不意に開くことを防止することができる。一対の係止片部２４は、下面部２５の下方に突出して形成され、その先端は屋外底面部３６の係止孔３６１に係合可能に鉤状に形成されている。
【００２０】
また、本体部２１の上面部２６は、図３に示すように、第１見付け面部３５および第２見付け面部３７の上端縁よりも低い高さ位置に設けられ、この上面部２６の上方を網戸８の下框１７が通過可能な程度の高さに設定されている。また、下面部２５、上面部２６、側面部２７、および傾斜面部２８は、屋外凹溝部３８と略同一の見込み方向幅寸法に形成されており、第１突起部２１１および第２突起部２１３は、屋外凹溝部３８に本体部２１を圧入することができる程度の突出寸法に設定されている。以上のような防虫部品２０が屋外凹溝部３８に圧入された状態においては、下面部２５が屋外底面部３６に当接し、一対の第１突起部２１１が第１見付け面部３５に当接し、一対の第２突起部２１３が第２見付け面部３７に当接することで、屋外凹溝部３８の空間を埋めるように取り付けられる。なお、本体部２１と第１見付け面部３５と第２見付け面部３７とは、各突起部２１１，２１３の突出寸法に応じた若干の隙間を介して対向するものの、この隙間は、虫等が通過不能な寸法に設定されている。
【００２１】
また、網戸８には、下框１７や縦框１８の下端部が第２見付け面部３７から外れることを防止するための外れ防止部材８１が設けられている。この外れ防止部材８１の一方の端部は、下框１７の下端部から屋外凹溝部３８の屋外底面部３６に向かって延出するとともに、防虫部品２０の上面部２６の高さ位置より低い位置に達して設けられている。網戸８が開閉移動する際には、外れ防止部材８１が防虫部品２０の傾斜面部２８および上面部２６に摺接し、網戸８が防虫部品２０に乗り上げる状態となるとともに、網戸８の閉鎖状態では、外れ防止部材８１が傾斜面部２８に当接することで、網戸８のスムーズな開閉を実現することができ、また、網戸８が閉鎖方向に付勢されて閉鎖状態を確実に維持することができるようになっている。
【００２２】
以上のような防虫部品２０の下枠３への取付方法としては、図４に示すように、取付部２２を屋内側に向けた状態で防虫部品２０を下枠３の上方に位置させ、取付部２２を切欠部３５１に挿入するとともに一対の係止片部２４を係止孔３６１に挿通させるように防虫部品２０を圧入する。これにより、本体部２１の第１突起部２１１が第１見付け面部３５に当接し、第２突起部２１３が第２見付け面部３７に当接し、一対の係止片部２４が係止孔３６１に係止されることで、防虫部品２０が下枠に固定された状態となる。
【００２３】
以上の実施形態によれば、防虫部品２０の本体部２１を屋外凹溝部３８に圧入して設けることで、風圧により屋外側へ移動する室内外障子６，７の荷重が、第１見付け面部３５から防虫部品２０を介して第２見付け面部３７に伝達されるため、第１見付け面部３５と第２見付け面部３７の２つの見付け面部で障子６，７の荷重を支持することができ、下枠３の破損や変形を防止することができる。また、閉鎖した室内外障子６，７の召合せ部Ａの見込み方向屋外側において、第１見付け面部３５に作用する室内外障子６，７の荷重が大きくなるため、この位置に防虫部品２０を設けることで、下枠３に作用する荷重を効果的に低減することができ、下枠３の破損及び変形を防止することができる。さらに、この位置に防虫部品２０を取り付けることで、屋外凹溝部３８を埋めることができるため、虫等が屋外凹溝部３８を通って屋内に侵入するのを防止することができ、防虫性能を向上させることができる。
【００２４】
なお、本発明は、前記実施形態に限定されるものではなく、本発明の目的を達成できる他の構成等を含み、以下に示すような変形等も本発明に含まれる。
例えば、前記実施形態においては、室内外一対の障子６，７を有する引違い窓１を例示して説明したが、本発明の建具は、例えば、室内側障子６を窓枠５に移動不能に固定した外動片引き窓であってもよいし、固定障子に代えて壁パネル等の固定面材を有した外動片引き窓であってもよく、さらには、一対の可動面材が引き分け形式で開閉自在に支持された引き分け窓であってもよい。
【００２５】
また、前記実施形態では、防虫部品２０の取付部２２を切欠部３５１に挿入することで取り付ける例を示したが、これに限らず、切欠部３５１および取付部２２を設けないで防虫部品全体を屋外凹溝部３８に圧入する構成としてもよい。
さらに、前記実施形態では、第１突起部２１１を第１見付け面部３５に当接させ、第２突起部２１３を第２見付け面部３７に当接させる構成としたが、これに限られず、第１突起部２１１および第２突起部２１３を設けないで背面部２９を第１見付け面部３５に当接させ、下面部２５、上面部２６、側面部２７、および傾斜面部２８の屋外側端部を第２見付け面部３７に当接させる構成としてもよい。
【００２６】
また、前記実施形態では、防虫部品２０は、本体部２１の屋外側が開口されて形成されていたが、これに限られず、背面部２９に対向する前面部を形成してもよい。
さらに、前記実施形態では、下枠３の枠本体３Ａにおいて、下枠底面部３１と屋外底面部３６とが段差を有し、屋外底面部３６が下枠底面部３１よりも高い位置に設けられていたが、これに限らず、下枠底面部３１と屋外底面部３６とがフラットに形成されていてもよいし、下枠底面部３１よりも屋外底面部３６が低い位置に形成されていてもよい。
また、前記実施形態では、防虫部品２０を下枠３に取り付けたが、上枠２に取り付けてもよいし、上枠２と下枠３の両方に取り付けてもよい。なお、上枠２に取り付ける際は、前記実施形態で説明した上下の方向性が逆になる。つまり、本発明における見付け方向内側とは、下枠３に取り付ける際は上方（上下方向上方）を意味し、上枠２に取り付ける際は下方（上下方向下方）を意味する。
【００２７】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２８】
１…引違い窓（建具）、３…下枠、５…窓枠（枠体）、７…室外側障子（面材）、８…網戸（防虫面材）、１７…下框、２０…防虫部品、２１…本体部、２２…取付部、２３…突出部、２４…係止片部、２５…下面部、２６…上面部、２７…側面部、２８…傾斜面部、２９…背面部、３５…第１見付け面部、３６…屋外底面部、３７…第２見付け面部、３８…屋外凹溝部、８１…外れ防止部材、２１１…第１突起部、２１２…突出基端部、２１３…第２突起部。
【図１】
0005303514.tif 000002
【図２】
0005303514.tif 000003
【図３】
0005303514.tif 000004
【図４】
0005303514.tif 000005
【図５】
0005303514.tif 000006
【図６】
0005303514.tif 000007